(57)【特許請求の範囲】
【請求項１】
人体局部に対して温水を吐出する洗浄機構と、その洗浄機構に供給する温水を保温し貯留する温水タンクとを具備する衛生洗浄装置であって、その温水タンクの外周部に、空気封入用のセル壁を突設して、複数区画配設し、その端部に略連続したシール面を形成し、前記シール面に柔軟な断熱材を付設して前記温水タンクと断熱材との間に空気を封入することにより、前記セル壁と断熱材との間に複数に区画された空気セルを形成したことを特徴とする衛生洗浄装置。
【発明の詳細な説明】
【０００１】
【発明の属する技術分野】
本発明は、人体局部に対して温水を吐出する洗浄機構と、その洗浄機構に供給する温水を作り出す熱交換器を内蔵した熱交換器温水タンクにおいて、貯湯容器としての温水タンク保持熱量の自然放熱低減に対し配慮することに係り、特にタンクの内圧変形に追随し気密性の高い空気セルをタンク外周部に配設することにより、温水保持時間の持続性を得ることに好適な衛生洗浄装置の温水タンク保温構造に関する。
【０００２】
【従来の技術】
衛生洗浄装置の温水タンクは、樹脂材料により成形された上・下２つの箱形部品からなり、溶着・もしくはビス締めにより１つの温水タンクとして構成される。また前記温水タンクは、上水道からの供給水をバルブにて一定圧力に調圧後、二次圧として接続入水するための連結管・入水管と、給水温度を感知しタンク内に配設されたヒータに通電加熱制御を行うサーミスタと、出湯及び負圧解除のためのバキュームブレーカが付設された基本構成となっている。また、温水制御装置機能故障に対しバイメタル式の温度過昇防止スイッチと、ヒータ過通電防止に対しフロートスイッチ・温度ヒューズが組み付けられ、安定した温水保持機構構成を成している。
【０００３】
一方で、衛生洗浄装置の熱交換器温水タンクはバルブにより調圧された二次圧に抗する圧力容器でもある。そのため、衛生洗浄装置の使用要求の度にかかる繰り返し内圧負荷に対し長期耐久性能を付与する必要がある。一般的には補強リブなどの補強部位をタンク外周部に配設し、タンクの長期耐久性を保証している。
【０００４】
【発明が解決しようとする課題】
上記理由に基づき、温水タンクの外周部は多数の機材取付部、補強部などの突出部を有し、温水タンク外周部における保温材付設場所が限定されたり、突出部が主要放熱部となってしまうケースが多かった。また、保温材を付与してもタンク外周部と保温材との隙間が空気対流による自然放熱路となってしまい、有効な保温効果を得ることができなかった。
【０００５】
本発明は、上記課題を解決するためになされたもので、本発明の目的は、自然放熱による温水タンク温水温度の低下を極力廃した有効な保温効果を維持する熱交換器温水タンクを提供することにある。
【０００６】
【課題を解決するための手段】
上記目的を達成するために本発明は、人体局部に対して温水を吐出する洗浄機構と、その洗浄機構に供給する温水を保温し貯留する温水タンクとを具備する衛生洗浄装置であって、その温水タンクの外周部に断熱材を設けると共に、温水タンクと断熱材との間に空気を封入する構造とした。そのため、熱伝導率の小さな空気が直接熱交換器温水タンクの断熱材の役目を果たし、有効な断熱効果を得ることができる。
【０００７】
上記目的を達成するために本発明は、人体局部に対して温水を吐出する洗浄機構と、その洗浄機構に供給する温水を保温し貯留する温水タンクとを具備する衛生洗浄装置であって、前記温水タンクと断熱材との間に封入された空気が、複数に区画されたセルを形成する構造とした。そのために、万一温水タンクと断熱材との間に隙間が発生した場合でも放熱部は一部のセルのみにとどまり、保温効果を低下させることなく有効な断熱効果を維持することができる。
【０００８】
上記目的を達成するために、人体局部に対して温水を吐出する洗浄機構と、その洗浄機構に供給する温水を保温し貯留する温水タンクとを具備する衛生洗浄装置において、前記断熱材は柔軟性のあるものとし、この断熱材の柔軟性により、温水タンク内の圧力の変化による変形に断熱材が空気を封入したまま同調する構造とすることもできる。そのようにすれば、熱交換器温水タンクに内圧負荷が行われる時でも断熱材は温水タンクの変形に追随し、タンクの動的動作に対しても封入した空気を逃がすことなく有効な断熱効果を維持することができる。
【０００９】
上記目的を達成するために本発明は、人体局部に対して温水を吐出する洗浄機構と、その洗浄機構に供給する温水を保温し貯留する温水タンクとを具備する衛生洗浄装置であって、その温水タンクと断熱材との間に空気を封入するため、温水タンクの外周部に、空気封入用のセル壁を突設して、複数区画配設し、その端部に略連続した断熱材シール面を形成した。このため、断熱材はフラットシートを簡易な型取りで打ち抜くだけで生産できる上、片面に接着材を付与するだけで立体のタンクに付設でき、断熱材生産性を下げることなく有効な断熱効果を維持することができる。
【００１０】
【発明の実施の形態】
以上説明した本発明の構成・作用を一層明らかにするために、以下本発明の好適な実施例について説明する。図１は一般的なトイレ空間の外観図、図２は一般的な衛生洗浄装置の構成図である。
【００１１】
図１及び図２に示すように、衛生洗浄装置本体１は、トイレ空間に配設された便器２上部に設置されて使用される。衛生洗浄装置本体１には水道水の供給を受けて温水を作り出し、これを貯留保持する熱交換器温水タンク３が内蔵され、温水はノズル４を介して人体局部を洗浄することになる。
【００１２】
図３は本発明の熱交換器温水タンクの基本構成を示す縦断面図である。図３に示すように、局部洗浄用に分岐された水道水は、バルブと熱交換器温水タンク３とを締結するための連結管５と、入水流速を減速させ安定した温水吐出状態を造り出す入水管６を通って熱交換器に導かれる。
【００１３】
熱交換器温水タンク３には、温水を造るためのヒータ７と、その温度を監視維持するサーミスタセンサー８と、温水温度過昇防止のためのバイメタルスイッチ９と、水の有無をチェックするフロートスイッチ１０及び万一の焼損を防止するための温度ヒューズ１１が配設され、温水温度制御を行う。給水された水道水はヒータ７で適温に加熱された後、出湯部１２を通って人体局部に向けて温水吐水を行うノズル４に供給されることになる。
【００１４】
図４は本発明を実施した熱交換器温水タンク３の概観斜視図である。図４に示すように熱交換器温水タンク３外周部には、タンク強度の補強と兼用された空気封入用のセル壁１３が、温水タンク外周部に突設して、複数区画配設され、その端部は略連続したシール面１６を形成する。ここに、タンク内圧負荷変形に対応できる柔軟な断熱材１４を付設することでセル内に空気を封入する。
【００１５】
図５は本発明の熱交換器温水タンク３における断熱部縦断面詳細図である。熱交換器温水タンク３本体に配設されたセル壁１３と断熱材１４との間には複数の空気セル１５が形成され、熱交換器温水タンク３からの自然放熱を低下させる役目を果たしている。また、付設された断熱材１４は封入された空気及びセル壁１３からの放熱を抑制する作用を果たしている。
【図面の簡単な説明】
【図１】一般的なトイレ空間の外観図
【図２】一般的な衛生洗浄装置の構成図
【図３】本発明の熱交換器温水タンクの基本構成を示す縦断面図
【図４】本発明を実施した熱交換器温水タンクの概観斜視図
【図５】本発明の熱交換器における断熱部縦断面詳細図
【符号の説明】
１…衛生洗浄装置本体
２…便器
３…熱交換器温水タンク
４…ノズル
５…連結管
６…入水管
７…ヒータ
８…サーミスタセンサー
９…バイメタルスイッチ
１０…フロートスイッチ
１１…温度ヒューズ
１２…出湯部
１３…セル壁
１４…断熱材
１５…空気セル
１６…シール面
【図１】
0003707280.tif 000002
【図２】
0003707280.tif 000003
【図３】
0003707280.tif 000004
【図４】
0003707280.tif 000005
【図５】
0003707280.tif 000006